(57)【要約】【課題】特殊な蝶番を用いることなく、扉の最大開度を拡大可能とする。使い勝手を良くする。コスト低減を図ると共に、台座による扉の保持力向上を図る。【解決手段】前方Ａに突出する一方の側板７の前端部にコーナー部２の後壁面４と平行に幕板１４を取り付け、扉１１の蝶番１２を支持する台座１３の両端部１３ａ,１３ｂを一方の側板７の内面と幕板１４の内面に取り付ける。台座１３の蝶番取付面１３ｃを平面視で一端部１３ａ側から他端部１３ｂ側に行く程前方に位置するように傾斜させる。蝶番取付面１３ｃには、全閉位置にある扉１１が幕板１４と平行な基準面Ｍよりも後方Ｂに回動して平面視で前面開口部６と平行となり且つ全開位置にある扉１１が幕板１４と平行な基準面Ｍよりも前方Ａに回動して平面視で前面開口部６と略直交する角度まで開放可能とするための蝶番１２を取り付ける。【選択図】図１
2010121418.tif 000002
【特許請求の範囲】
【請求項１】
部屋のコーナー部の壁面に沿って配置されるコーナーキャビネットの前面開口部を平面視で該壁面に対して所定角度で傾斜させ、該傾斜した前面開口部を開閉する扉の蝶番を連結支持するための台座を備えた扉の取付構造であって、上記コーナーキャビネットの前面開口部を挟んでその左右両側に位置する側板のうち、コーナー部の側壁面に近い一方の側板の前端部を他方の側板の前端部よりも前方に突出させると共に、該前方に突出させた一方の側板の前端部にコーナー部の後壁面と平行に幕板を取り付け、扉の蝶番を支持する台座の一端部が上記一方の側板の内面に取り付けられると共に他端部が上記幕板の内面に取り付けられ、上記台座の両端部間には平面視で一端部側から他端部側に行く程前方に位置するように傾斜した蝶番取付面が設けられ、上記傾斜した蝶番取付面には、全閉位置にある扉が上記幕板と平行な基準面よりも後方に回動して平面視で前面開口部と平行となり且つ全開位置にある扉が上記幕板と平行な基準面よりも前方に回動して平面視で前面開口部と略直交する角度まで開放可能とするための蝶番が取り付けられることを特徴とする扉の取付構造。
【請求項２】
上記台座の一端部は、上記一方の側板に設けられる棚板保持用のダボが圧入可能な既成のダボ穴に対して取り付けられることを特徴とする請求項１記載の扉の取付構造。
【請求項３】
上記台座の一端部には、上記一方の側板に設けられる棚板保持用のダボが圧入可能な既成のダボ穴と連通する貫通孔が形成されており、上記一方の側板の内側からネジを該貫通孔を介して該ダボ穴に締結可能としたことを特徴とする請求項２記載の扉の取付構造。
【請求項４】
上記キャビネット本体の前面開口部の平面視の傾斜角度が上記幕板と平行な基準面に対して後方に略４５°であり且つ上記扉の全開位置における平面視の傾斜角度が上記幕板と平行な基準面に対して前方に略４５°以上となるように、最大開度が９０°乃至１００°前後の蝶番を用いることを特徴とする請求項１記載の扉の取付構造。
【請求項５】
上記キャビネット本体が部屋の左右両コーナー部のいずれかに選択的に設置される場合において、上記台座の蝶番取付面の傾斜角度が左右対称となるように台座を左右対称構造に形成したことを特徴とする請求項１乃至３のいずれか一項に記載の扉の取付構造。
【発明の詳細な説明】
【技術分野】
【０００１】
本発明は、扉の取付構造に関し、詳しくは背板及び左右の側板を有するキャビネット本体の前面開口部を開閉する扉の蝶番を連結支持するための台座を備えた構造に関するものである。
【背景技術】
【０００２】
従来から、部屋のコーナー部に設置されるコーナーキャビネットにおいて、背板及び左右の側板を有するキャビネット本体の前面開口部を、平面視で背板に対して４５°の角度で配置するのが一般的である。この場合、部屋の中央側から見て前面開口部及びＴＶが正面向きとなり、観やすくなると共に、使い勝手が良くなる（例えば、特許文献１参照）。
【０００３】
ところで、背板に対して前面開口部が平面視で４５°傾斜しているキャビネット本体の前面開口部に、蝶番を介して扉を連結するにあたって、通常の最大開度が略９０°の蝶番を用いた構造では、全開位置にある扉が背板と平行な角度までしか開かず、つまり一方の側板に対して平面視で９０°しか開かないため、傾斜した前面開口部に対する扉の最大開き角度が半開（４５°）に制限されてしまい、結果、前面開口部からの収納や出し入れがし辛くなるという問題がある。なお、特殊な蝶番（１３５°蝶番或いは４５°蝶番等）を用いた場合は、傾斜した前面開口部に対する扉の開き角度を全開（９０°）まで広げることが可能となるが、この場合、専用の蝶番とこれに合う専用の扉に交換しなければならず、コストが高くつくという問題が生じる。
【特許文献１】特許第４０１４３４４号公報
【発明の開示】
【発明が解決しようとする課題】
【０００４】
本発明は上記の従来の問題点に鑑みて発明したものであって、その課題とするところは、特殊な蝶番を用いることなく、キャビネット本体の傾斜した前面開口部を開閉する扉の最大開度を前面開口部と直交する角度まで拡大することができ、これにより前面開口部の使い勝手が良くなると共に、コスト低減を図ることができ、そのうえ台座による扉の保持力向上を図ることができる扉の取付構造を提供することにある。
【課題を解決するための手段】
【０００５】
前記の課題を解決するために、本発明は、部屋のコーナー部２の壁面３,４に沿って配置されるコーナーキャビネット１の前面開口部６を平面視で該壁面に対して所定角度で傾斜させ、該傾斜した前面開口部６を開閉する扉１１の蝶番１２を連結支持するための台座１３を備えた扉の取付構造である。上記コーナーキャビネット１の前面開口部６を挟んでその左右両側に位置する側板７,８のうち、コーナー部２の側壁面３に近い一方の側板７の前端部を他方の側板８の前端部よりも前方Ａに突出させると共に、該前方Ａに突出させた一方の側板７の前端部にコーナー部２の後壁面４と平行に幕板１４を取り付け、扉１１の蝶番１２を支持する台座１３の一端部１３ａが上記一方の側板７の内面に取り付けられると共に他端部１３ｂが上記幕板１４の内面に取り付けられ、上記台座１３の両端部１３ａ,１３ｂ間には平面視で一端部１３ａ側から他端部１３ｂ側に行く程前方に位置するように傾斜した蝶番取付面１３ｃが設けられる。上記傾斜した蝶番取付面１３ｃには、全閉位置にある扉１１が上記幕板１４と平行な基準面Ｍよりも後方Ｂに回動して平面視で前面開口部６と平行となり且つ全開位置にある扉１１が上記幕板１４と平行な基準面Ｍよりも前方Ａに回動して平面視で前面開口部６と略直交する角度まで開放可能とするための蝶番１２が取り付けられることを特徴としている。
【０００６】
このような構成とすることで、台座１３の蝶番取付面１３ｃを傾斜させるという簡易な構造で、特殊な蝶番（１３５°蝶番或いは４５°蝶番）を用いなくても、キャビネット本体５の傾斜した前面開口部６に対する扉１１の最大開度を上記幕板１４と平行な基準面Ｍよりもさらに前方Ａに開くことが可能となり使い勝手が良くなる。そのうえ、特殊な蝶番に合う扉を別途用いる必要もないため、コスト低減を図ることができ、さらに台座１３の両端部１３ａ,１３ｂを一方の側板７と幕板１４とにそれぞれ取り付けることによって、台座１３による扉１１の保持力向上を図ることができる。
【０００７】
また、上記台座１３の一端部１３ａは、上記一方の側板７に設けられる棚板保持用のダボが圧入可能な既成のダボ穴１７に対して取り付けられるのが好ましく、この場合、一方の側板７に形成されている既成のダボ穴１７を利用して台座１３の一端部１３ａの取り付けが可能となる。
【０００８】
また、上記台座１３の一端部１３ａには、上記一方の側板７に設けられる棚板保持用のダボが圧入可能な既成のダボ穴１７と連通する貫通孔１８が形成されており、上記一方の側板７の内側からネジを該貫通孔１８を介して該ダボ穴１７に締結可能とするのが好ましく、この場合、一方の側板７に形成されている既成のダボ穴１７を利用して台座１３の一端部１３ａを簡易に固定できるので、側板７の穴加工が不要となり、しかも台座１３の一端部１３ａが一方の側板７に対して固定されるので、台座１３が扉１１の動きに対して安定したものとなる。
【０００９】
また、上記キャビネット本体５の前面開口部６の平面視の傾斜角度θ１が上記基準面Ｍに対して後方Ｂに略４５°となり、上記扉１１の全開位置における平面視の傾斜角度θ２が上記基準面Ｍに対して前方Ａに略４５°以上となるように、最大開度が９０°乃至１００°前後の蝶番１２を用いるのが好ましく、この場合、通常の蝶番１２を用いて、扉１１の最大開度を９０°以上に拡大できる。
【００１０】
また、上記キャビネット本体５が部屋の左右両コーナー部２のいずれかに選択的に設置される場合において、上記台座１３の蝶番取付面１３ｃの傾斜角度が左右対称となるように台座１３を左右対称構造に形成するのが好ましく、この場合、開き勝手が左開き用と右開き用の扉１１に対して、共通する１種類の台座１３を左右共用でき、台座１３のコスト削減が図られると共に部品管理が容易となる。
【発明の効果】
【００１１】
本発明は、台座の一端部を一方の側板の内面に連結し他端部を幕板の内面に連結すると共に、台座の両端部間の蝶番取付面を傾斜させることによって、通常の蝶番を用いた場合でも扉の最大開度を拡大でき、前面開口部の開き角度が大きくなることで使い勝手が良くなると共に、特殊な蝶番が不要になるのでコスト低減を図ることができ、そのうえ台座による扉の保持力向上を図ることができるものである。
【発明を実施するための最良の形態】
【００１２】
以下、本発明を添付図面に示す実施形態に基いて説明する。
【００１３】
図１は、部屋のコーナー部２の壁面３,４に沿って配置されるコーナーキャビネット１の前面開口部６を平面視で該壁面３,４に対して所定角度で傾斜させ、該傾斜した前面開口部６を開閉する扉１１の蝶番１２を連結支持するための台座１３を備えた一例を示している。図５はキャビネット本体５の上面にＴＶ４０を載置した一例を示している。図５中の９は天板、１５はサイドユニットを示している。なお図５では扉１１の図示を省略している。
【００１４】
上記キャビネット本体５の左右の側板７,８のうち一方の側板７の前端部７ａは、図１に示すように、他方の側板８の前端部８ａよりも前方Ａに突出しており、これにより、前面開口部６が後述する幕板１４と平行な基準面Ｍに対して所定角度θ１で後方Ｂに傾斜している。ここでは基準面Ｍに対して後方Ｂに略４５°傾斜している。
【００１５】
コーナー部２の側壁面３に近い一方の側板７の前端部７ａには、背板１０と平行に幕板１４が取り付けられており、幕板１４の内面は一方の側板７の内面と平面視で略直交して形成されている。
【００１６】
扉１１の蝶番１２を支持する台座１３は、一方の側板７の内面と幕板１４の内面とに跨って取り付けられる。なお、台座１３の強度確保のために例えばＳＰＣＣのような金属材料を用いて形成するのが望ましい。図１では蝶番１２の図示を省略している。
【００１７】
ここでは、図２に示すように、台座１３の一端部１３ａが一方の側板７の内面に固定され、台座１３の他端部１３ｂが前記幕板１４内面に取り付けた台座取付部２０に対して固定されている。台座１３の両端部１３ａ,１３ｂ間に蝶番１２を取り付けるネジ穴６０付き蝶番取付面１３ｃが形成されており、この蝶番取付面１３ｃが平面視で一端部１３ａ側から他端部１３ｂ側に行くほど前方Ａに位置するように所定角度θ２で傾斜している。ここで図３において、台座１３の一端部１３ａはＬ字形（α＝９０°）に屈曲してその先端に幅広の側板取付部７０が形成されており、台座１３の他端部１３ｂはＬ字形（α＝９０°）に屈曲してその先端に幅広の幕板取付部７１が形成されている。台座１３の蝶番取付面１３ｃは所定角度β（＝１３５°）で傾斜している。
【００１８】
本例の台座１３の側板取付部７０には貫通孔１８が形成され、一方の側板７には棚板保持用のダボ（図示せず）が圧入可能な既成のダボ穴１７（図２）が設けられており、一方の側板７の内側からタッピンネジ１９を該貫通孔１８を介してダボ穴１７に締結することで台座１３の側板取付部７０が一方の側板７に引き寄せられて固定されるようになっている。なお一方の側板７の外側からタッピンネジ１９を該ダボ穴１７を介して該貫通孔１８に締結する構成とすることも可能である。
【００１９】
台座１３の幕板取付部７１には、ネジ孔１６が形成され、幕板１４内面に取り付けた台座取付部２０（図２）に対してネジ固定されるようになっている。
【００２０】
上記台座１３の傾斜した蝶番取付面１３ｃには、蝶番１２の一片をネジ固定するための複数のネジ孔６０が形成されている。蝶番１２の他片は扉１１の枢支側の端部に取り付けられる。
【００２１】
上記蝶番１２は最大開度が９０°乃至１００°前後の蝶番である。その一例として、スライド蝶番１２Ａを例示する。このスライド蝶番１２Ａは、例えば図４に示すように、フランジ部２４を有するカップ形状のカップ部２１と、カップ部２１内に出し入れ自在な本体部２２と、カップ部２１と本体部２２とを展伸・折り畳みに連結する２つのリンク部材２３とが一体に構成されている。ここでは、カップ部２１を扉１１の枢支側の内面に埋設してフランジ部２４を扉１１に対してネジ固定する。本体部２２は台座１３の蝶番取付面１３ｃに対してネジ固定している。扉１１を閉じると２つのリンク部材２３が折り畳まれて本体部２２がカップ部２１と直交状態となり、扉１１を全開にすると２つのリンク部材２３が展伸して本体部２２がカップ部２１と平行状態（図４の状態）となる。なおスライド蝶番１２Ａの仕組みについては、例えば特開２００３−１８９９５０号公報等に記述されているので、詳細な説明は省略する。
【００２２】
しかして、上記構成によれば、台座１３の蝶番取付面１３ｃの傾斜によって、全閉位置にある扉１１は平面視で上記幕板１４と平行な基準面Ｍよりも後方Ｂに回動して前面開口部６を覆った状態となり、このとき、扉１１の戸先が他方の側板８の前端部８ａに当接する。一方、全開位置にある扉１１は上記基準面Ｍよりも前方Ａに回動して前面開口部６と略直交する角度θ２（基準面Ｍに対して前方Ａに略４５°）まで開放されるようになっている。これにより、台座１３の蝶番取付面１３ｃを傾斜させるという簡易な構造で、キャビネット本体５の傾斜した前面開口部６に対する扉１１の最大開度を略９０°まで大きく拡大できるので、前面開口部６での収納や出し入れがしやすくなり、使い勝手が良くなる。そのうえ、特殊な蝶番（１３５°蝶番或いは４５°蝶番等）を用いたり、この特殊な蝶番に合う扉１１を別途用いる必要がなくなるので、コスト的に有利である。
【００２３】
また、一方の側板７に形成されている既成のダボ穴１７（図２）を利用して台座１３の一端部１３ａをタッピンネジ１９で固定できるので、側板７の穴加工が不要となり、しかも作業空間が狭い場合であっても側板７に対する台座１３の固定作業を容易に行なえるものである。そのうえ、台座１３が一方の側板７に対して固定されるので、扉１１の動きに対して安定したものとなる。
【００２４】
さらに、台座１３の両端部１３ａ,１３ｂを側板７と幕板１４にそれぞれ固定することによって、扉１１の保持力が向上する利点もある。
【００２５】
上記キャビネット本体５が部屋の左右両コーナー部２のいずれかに選択的に設置される場合において、幕板１４を左右いずれかの側板７（８）に取り付け可能とし且つ台座１３を左右勝手自在に形成している。図６は、図１と左右反転した右開き式の扉１１にて開閉自在とされたコーナーキャビネット１の一例を示している。この場合においても、図１と同様な台座１３を左右共用できる。つまり台座１３の蝶番取付面１３ｃの傾斜角度が左右対称となるように台座１３を左右対称構造としているので、開き勝手が左開き用と右開き用の扉１１に対して共通の１種類の台座１３で対応できるようになり、台座１３のコスト削減が図られると共に部品の管理が容易となる。
【００２６】
尚、前記実施形態では、蝶番１２として最大開度が略９０°のスライド蝶番１２Ａを例示したが、勿論これに限らず、一般的に使用される最大開度が１００°前後の蝶番であればよく、その構造は特に問わない。
【図面の簡単な説明】
【００２７】
【図１】本発明の一実施形態の扉が左開き仕様のコーナーキャビネットの一例を示し、（ａ）は平面図、（ｂ）は正面図である。
【図２】同上の扉と蝶番と台座との取り付け状態を説明する概略平面図である。
【図３】（ａ）は同上の台座の平面図、（ｂ）は正面図、（ｃ）は側面図である。
【図４】同上のスライド蝶番の説明図である。
【図５】同上のコーナーキャビネットの設置例の説明図である。
【図６】同上の扉が右開き仕様のコーナーキャビネットの他例を示し、（ａ）は平面図、（ｂ）は正面図である。
【符号の説明】
【００２８】
１  コーナーキャビネット
２  コーナー部
５  キャビネット本体
６  前面開口部
７  一方の側板
７ａ  前端部
８  他方の側板
８ａ  前端部
９  天板
１０  背板
１１  扉
１２  蝶番
１３  台座
１３ａ  一端部
１３ｂ  他端部
１３ｃ  蝶番取付面
１４  幕板
１７  ダボ穴
１８  貫通孔
１９  タッピンネジ
Ａ  前方
Ｂ  後方
Ｍ  幕板と平行な基準面
θ１、θ２  傾斜角度
【図１】
2010121418.tif 000003
【図２】
2010121418.tif 000004
【図３】
2010121418.tif 000005
【図４】
2010121418.tif 000006
【図５】
2010121418.tif 000007
【図６】
2010121418.tif 000008